(57)【要約】  【課題】マルチチャンネルオーディオ装置に設定する好みの音響プロファイル情報をより簡単に生成することができる技術を提供する。  【解決手段】コントローラ４は、マルチチャンネルオーディオ信号の音響プロファイル情報を、この音響プロファイル情報が前提とする再生環境情報とともに、音響プロファイル情報管理サーバ５からダウンロードする。そして、音響プロファイル情報管理サーバ５からダウンロードした音響プロファイル情報を、この音響プロファイル情報とともに音響プロファイル情報管理サーバ５からダウンロードした再生環境情報とマルチチャンネルオーディオシステム１の再生環境情報との相違に基づいてチャンネル毎にカスタマイズする。これにより、マルチチャンネルオーディオ装置２に設定する音響プロファイル情報を生成して、マルチチャンネルオーディオ装置２に送信する。【選択図】図１
2019212993.tif 000002
【特許請求の範囲】
【請求項１】
マルチチャンネルオーディオ装置に設定する音響プロファイル情報を生成する音響プロファイル情報生成装置であって、
利用対象のマルチチャンネルオーディオ信号の音響プロファイル情報を、当該音響プロファイル情報が前提とするマルチチャンネルオーディオ信号の再生環境情報とともに取得する音響プロファイル情報取得手段と、
前記マルチチャンネルオーディオ装置によって再生されるマルチチャンネルオーディオ信号の再生環境情報を記憶する再生環境情報記憶手段と、
前記音響プロファイル情報取得手段により音響プロファイル情報とともに取得された再生環境情報および前記再生環境情報記憶手段に記憶されている再生環境情報の相違に基づいて、前記音響プロファイル情報取得手段により取得された音響プロファイル情報を、マルチチャンネルオーディオ信号のチャンネル毎にカスタマイズすることにより、前記マルチチャンネルオーディオ装置に設定する音響プロファイル情報を生成する音響プロファイル情報生成手段と、を備えている
ことを特徴とする音響プロファイル情報生成装置。
【請求項２】
請求項１に記載の音響プロファイル情報生成装置であって、
前記音響プロファイル情報は、マルチチャンネルオーディオ信号を構成する各チャンネルのオーディオ信号の遅延時間を含んでおり、
前記再生環境情報は、マルチチャンネルオーディオ信号の再生に利用される複数のスピーカそれぞれの聴取位置からの距離を含んでおり、
前記音響プロファイル情報生成手段は、
マルチチャンネルオーディオ信号のチャンネル毎に、前記音響プロファイル情報取得手段により音響プロファイル情報とともに取得された再生環境情報に含まれている当該チャンネルに対応するスピーカの聴取位置からの距離と、前記再生環境情報記憶手段に記憶されている再生環境情報に含まれている当該チャンネルに対応するスピーカの聴取位置からの距離との比率に基づいて、前記音響プロファイル情報取得手段により取得された前記音響プロファイル情報に含まれている当該チャンネルのオーディオ信号の遅延時間をカスタマイズする
ことを特徴とする音響プロファイル情報生成装置。
【請求項３】
請求項１に記載の音響プロファイル情報生成装置であって、
前記音響プロファイル情報は、マルチチャンネルオーディオ信号を構成する各チャンネルのオーディオ信号の音量レベルを含んでおり、
前記再生環境情報は、マルチチャンネルオーディオ信号の再生に利用される複数のスピーカそれぞれの聴取位置からの距離を含んでおり、
前記音響プロファイル情報生成手段は、
マルチチャンネルオーディオ信号のチャンネル毎に、前記音響プロファイル情報取得手段により音響プロファイル情報とともに取得された再生環境情報に含まれている当該チャンネルに対応するスピーカの聴取位置からの距離と、前記再生環境情報記憶手段に記憶されている再生環境情報に含まれている当該チャンネルに対応するスピーカの聴取位置からの距離との比率に基づいて、前記音響プロファイル情報取得手段により取得された前記音響プロファイル情報に含まれている当該チャンネルのオーディオ信号の音量レベルをカスタマイズする
ことを特徴とする音響プロファイル情報生成装置。
【請求項４】
請求項１に記載の音響プロファイル情報生成装置であって、
前記音響プロファイル情報は、マルチチャンネルオーディオ信号を構成する各チャンネルのオーディオ信号の遅延時間を含んでおり、
前記再生環境情報は、マルチチャンネルオーディオ信号の再生に利用される複数のスピーカの設置部屋のサイズを含んでおり、
前記音響プロファイル情報生成手段は、
マルチチャンネルオーディオ信号のチャンネル毎に、前記音響プロファイル情報取得手段により音響プロファイル情報とともに取得された再生環境情報に含まれている設置部屋のサイズと、前記再生環境情報記憶手段に記憶されている再生環境情報に含まれている設置部屋のサイズとの比率に基づいて、前記音響プロファイル情報取得手段により取得された前記音響プロファイル情報に含まれている当該チャンネルのオーディオ信号の遅延時間をカスタマイズする
ことを特徴とする音響プロファイル情報生成装置。
【請求項５】
請求項１に記載の音響プロファイル情報生成装置であって、
前記音響プロファイル情報は、マルチチャンネルオーディオ信号を構成する各チャンネルのオーディオ信号の音量レベルを含んでおり、
前記再生環境情報は、マルチチャンネルオーディオ信号の再生に利用される複数のスピーカの設置部屋のサイズを含んでおり、
前記音響プロファイル情報生成手段は、
マルチチャンネルオーディオ信号のチャンネル毎に、前記音響プロファイル情報取得手段により音響プロファイル情報とともに取得された再生環境情報に含まれている設置部屋のサイズと、前記再生環境情報記憶手段に記憶されている再生環境情報に含まれている設置部屋のサイズとの比率に基づいて、前記音響プロファイル情報取得手段により取得された前記音響プロファイル情報に含まれている当該チャンネルのオーディオ信号の音量レベルをカスタマイズする
ことを特徴とする音響プロファイル情報生成装置。
【請求項６】
請求項１ないし５のいずれか一項に記載の音響プロファイル情報生成装置であって、
前記再生環境情報は、マルチチャンネルオーディオ信号の再生に利用される複数のスピーカそれぞれの音響特性を含んでおり、
前記音響プロファイル情報生成手段は、
マルチチャンネルオーディオ信号のチャンネル毎に、前記音響プロファイル情報取得手段により音響プロファイル情報とともに取得された再生環境情報に含まれている当該チャンネに対応するスピーカの音響特性と、前記再生環境情報記憶手段に記憶されている再生環境情報に含まれている当該チャンネルに対応するスピーカの音響特性とを比較し、前記音響プロファイル情報取得手段により音響プロファイル情報とともに取得された再生環境情報に含まれている当該チャンネルに対応するスピーカの音響特性が、前記再生環境情報記憶手段に記憶されている再生環境情報に含まれている当該チャンネルに対応するスピーカの音響特性ではカバーされない周波数帯域を含んでいる場合、前記再生環境情報記憶手段に記憶されている再生環境情報に含まれている各スピーカの音響特性を参照し、当該周波数帯域をカバーするスピーカがあるならば、当該チャンネルに対応するスピーカに加えて、当該周波数帯域をカバーするスピーカを、当該チャンネルのオーディオ信号の出力先とする出力先情報を生成し、前記マルチチャンネルオーディオ装置に設定する音響プロファイル情報に含める
ことを特徴とする音響プロファイル情報生成装置。
【請求項７】
マルチチャンネルオーディオ装置を操作するためのコントローラであって、
請求項１ないし６のいずれか一項に記載の音響プロファイル情報生成装置と、
前記音響プロファイル情報生成装置の前記音響プロファイル情報生成手段により生成された音響プロファイル情報を前記マルチチャンネルオーディオ装置に設定する音響プロファイル情報設定手段と、を備えている
ことを特徴とするコントローラ。
【請求項８】
請求項７に記載のコントローラであって、
前記音響プロファイル情報生成装置の前記音響プロファイル情報生成手段により生成された音響プロファイル情報を所定のサーバにアップロードする音響プロファイル情報アップロード手段をさらに備え、
前記音響プロファイル情報生成装置の前記音響プロファイル情報取得手段は、
ユーザにより指定された利用対象のマルチチャンネルオーディオ信号の音響プロファイル情報を、当該音響プロファイル情報が前提とするマルチチャンネルオーディオ信号の再生環境情報とともに前記所定のサーバからダウンロードする
ことを特徴とすることを特徴とするコントローラ。
【請求項９】
マルチチャンネルオーディオ装置であって、
請求項１ないし６のいずれか一項に記載の音響プロファイル情報生成装置と、
前記音響プロファイル情報生成装置の前記音響プロファイル情報生成手段により生成された音響プロファイル情報に従いマルチチャンネルオーディオ信号を制御するオーディオ制御手段と、を備えている
ことを特徴とすることを特徴とするマルチチャンネルオーディオ装置。
【請求項１０】
請求項９に記載のマルチチャンネルオーディオ装置であって、
前記音響プロファイル情報生成装置の前記音響プロファイル情報生成手段により生成された音響プロファイル情報を所定のサーバにアップロードする音響プロファイル情報アップロード手段をさらに備え、
前記音響プロファイル情報生成装置の前記音響プロファイル情報取得手段は、
ユーザにより指定された利用対象のマルチチャンネルオーディオ信号の音響プロファイル情報を、当該音響プロファイル情報が前提とするマルチチャンネルオーディオ信号の再生環境情報とともに所定のサーバからダウンロードする
ことを特徴とすることを特徴とするマルチチャンネルオーディオ装置。
【請求項１１】
コンピュータで読み取り可能なプログラムであって、
前記プログラムは、前記コンピュータを、マルチチャンネルオーディオ装置に設定する音響プロファイル情報を生成する音響プロファイル情報生成装置として機能させ、
前記音響プロファイル情報生成装置は、
利用対象のマルチチャンネルオーディオ信号の音響プロファイル情報を当該音響プロファイル情報が前提とするマルチチャンネルオーディオ信号の再生環境情報とともに取得する音響プロファイル情報取得手段と、
前記マルチチャンネルオーディオ装置によって再生されるマルチチャンネルオーディオ信号の再生環境情報を記憶する再生環境情報記憶手段と、
前記音響プロファイル情報取得手段により音響プロファイル情報とともに取得された再生環境情報および前記再生環境情報記憶手段に記憶されている再生環境情報の相違に基づいて、前記音響プロファイル情報取得手段により取得された音響プロファイル情報を、マルチチャンネルオーディオ信号のチャンネル毎にカスタマイズすることにより、前記マルチチャンネルオーディオ装置に設定する音響プロファイル情報を生成する音響プロファイル情報生成手段と、を備えている
ことを特徴とするコンピュータで読み取り可能なプログラム。
【発明の詳細な説明】
【技術分野】
【０００１】
本発明は、複数のスピーカを用いたマルチチャンネルオーディオ信号の再生に利用する音響プロファイル情報の生成技術に関する。
【背景技術】
【０００２】
複数のスピーカを用いてマルチチャンネルオーディオ信号を再生するマルチチャンネルオーディオ装置が知られている。例えば、特許文献１に記載のマルチチャンネルオーディオ装置は、マルチチャンネルオーディオ信号のチャンネル毎に、オーディオ信号を増幅して、このチャンネルに対応するスピーカから出力している。
【０００３】
また、マルチチャンネルオーディオ装置のなかには、マルチチャンネルオーディオ信号のチャンネル毎に、オーディオ信号の音響プロファイル情報（音響特性、遅延時間、音量レベル）を設定できるものがある。例えば、特許文献２に記載のマルチチャンネルオーディオ装置は、スピーカ毎に、スピーカから出力されたテスト信号をユーザの聴取位置に設置されたマイクで集音し、その遅延時間、減衰率を測定する。そして、マルチチャンネルオーディオ信号のチャンネル毎に、このチャンネルに対応するスピーカから出力されるオーディオ信号がユーザの聴取位置で最適となるように、オーディオ信号の音響プロファイル情報を設定している。
【先行技術文献】
【特許文献】
【０００４】
【特許文献１】特開２００２−３６７２９０号公報
【特許文献２】特開２０００−３５４３００号公報
【発明の概要】
【発明が解決しようとする課題】
【０００５】
マルチチャンネルオーディオ信号のチャンネル毎にオーディオ信号の音響プロファイル情報を設定可能なマルチチャンネルオーディオ装置において、各チャンネルのオーディオ信号の音響プロファイル情報を自身の好みにカスタマイズするには煩雑な作業を伴う。このため、プロのオーディオ評論家、アマチュアのオーディオ愛好家等の第三者の音響プロファイル情報を利用して、それらの人の再生環境において構築されている音響と同じ音響をユーザの再生環境においても手軽に再現できれば便利である。
【０００６】
しかしながら、プロのオーディオ評論家、アマチュアのオーディオ愛好家等の第三者の音響プロファイル情報を利用しても、その再生環境（各スピーカから聴取位置までの距離、各スピーカの音響特性等）がユーザの再生環境と異なると、ユーザが期待するマルチチャンネルオーディオ信号の再生とならない場合がある。
【０００７】
本発明は上記事情に鑑みてなされたものであり、その目的は、マルチチャンネルオーディオ装置に設定する好みの音響プロファイル情報をより簡単に生成することができる技術を提供することにある。
【課題を解決するための手段】
【０００８】
上記課題を解決するために、本発明では、利用したいマルチチャンネルオーディオ信号の音響プロファイル情報を、この音響プロファイル情報が前提とする再生環境とユーザの再生環境との相違に基づいてチャンネル毎にカスタマイズすることにより、マルチチャンネルオーディオ装置に設定する好みの音響プロファイル情報を生成する。
【０００９】
例えば、本発明は、
マルチチャンネルオーディオ装置に設定する音響プロファイル情報を生成する音響プロファイル情報生成装置であって、
利用対象のマルチチャンネルオーディオ信号の音響プロファイル情報を、当該音響プロファイル情報が前提とするマルチチャンネルオーディオ信号の再生環境情報とともに取得する音響プロファイル情報取得手段と、
前記マルチチャンネルオーディオ装置によって再生されるマルチチャンネルオーディオ信号の再生環境情報を記憶する再生環境情報記憶手段と、
前記音響プロファイル情報取得手段により音響プロファイル情報とともに取得された再生環境情報および前記再生環境情報記憶手段に記憶されている再生環境情報の相違に基づいて、前記音響プロファイル情報取得手段により取得された音響プロファイル情報を、マルチチャンネルオーディオ信号のチャンネル毎にカスタマイズすることにより、前記マルチチャンネルオーディオ装置に設定する音響プロファイル情報を生成する音響プロファイル情報生成手段と、を備えている。
【発明の効果】
【００１０】
本発明では、利用したいマルチチャンネルオーディオ信号の音響プロファイル情報を、この音響プロファイル情報が前提とする再生環境情報とユーザの再生環境情報との相違に基づいてチャンネル毎にカスタマイズするので、音響プロファイル情報が前提とする再生環境とユーザの再生環境とが異なる場合でも、ユーザが期待するマルチチャンネルオーディオ信号の再生を実現することができる。したがって、本発明によれば、マルチチャンネルオーディオ装置に設定する好みの音響プロファイル情報をより簡単に生成することができる。
【図面の簡単な説明】
【００１１】
【図１】図１は、本発明の一実施の形態に係るマルチチャンネルオーディオシステム１の概略構成図である。
【図２】図２は、音響プロファイル情報管理サーバ５の概略機能構成図である。
【図３】図３は、音響プロファイル情報記憶部５１の登録内容例を模式的に表した図である。
【図４】図４は、マルチチャンネルオーディオ装置２の概略機能構成図である。
【図５】図５は、コントローラ４の概略機能構成図である。
【図６】図６は、コントローラ４の動作を説明するためのフロー図である。
【発明を実施するための形態】
【００１２】
以下に、本発明の一実施の形態について、図面を参照して説明する。
【００１３】
図１は、本実施の形態に係るマルチチャンネルオーディオシステム１の概略構成図である。
【００１４】
図示するように、本実施の形態に係るマルチチャンネルオーディオシステム１は、アクセスポイント６およびＷＡＮ、ＬＡＮ等のネットワーク７を介して音響プロファイル情報管理サーバ５に接続されている。
【００１５】
音響プロファイル情報管理サーバ５は、プロのオーディオ評論家やアマチュアのオーディオ愛好家などが作成した音響プロファイル情報を、この音響プロファイル情報が前提とするマルチチャンネルオーディオ信号の再生環境情報とともに管理している。ここで、音響プロファイル情報は、マルチチャンネルオーディオ信号を構成する各チャンネルのオーディオ信号の音響特性、遅延時間、音量レベル、および出力先チャンネルの情報を含んでいる。また、再生環境情報は、各スピーカから聴取位置までの距離、および各スピーカの音響特性を含んでいる。
【００１６】
マルチチャンネルオーディオシステム１は、マルチチャンネルオーディオ装置２と、マルチチャンネルオーディオ装置２に接続された複数台のスピーカ３と、マルチチャンネルオーディオ装置２をリモート操作するためのコントローラ４と、を備えている。なお、本実施の形態では、５．１ｃｈのマルチチャンネルオーディオ信号を再生するマルチチャンネルオーディオシステム１を例示しており、マルチチャンネルオーディオ装置２には、ＦＲ（Ｆｒｏｎｔ  Ｒｉｇｈｔ）チャンネル、ＦＬ（Ｆｒｏｎｔ  Ｌｅｆｔ）チャンネル、Ｃ（Ｃｅｎｔｅｒ）チャンネル、ＳＲ（Ｓｕｒｒｏｕｎｄ  Ｒｉｇｈｔ）チャンネル、ＳＬ（Ｓｕｒｒｏｕｎｄ  Ｌｅｆｔ）チャンネル、およびＳＷ（Ｓｕｂ  Ｗｏｏｆｅｒ）チャンネルに対応した６台のスピーカ３が接続されている。
【００１７】
マルチチャンネルオーディオ装置２は、マルチチャンネルオーディオ信号を再生し、再生したマルチチャンネルオーディオ信号のチャンネル毎に、このチャンネルのオーディオ信号を、このチャンネルに対応付けられて設定されている音響プロファイル情報に含まれている音響特性、遅延時間、および音量レベルに従って制御して、この音響プロファイル情報に含まれている出力先チャンネルに対応するスピーカ３に出力する。
【００１８】
コントローラ４は、アクセスポイント６およびネットワーク７を介して音響プロファイル情報管理サーバ５に接続されており、ユーザの指示に従い、所望の音響プロファイル情報を、この音響プロファイル情報が前提とするマルチチャンネルオーディオ信号の再生環境情報とともに音響プロファイル情報管理サーバ５からダウンロードしたり、マルチチャンネルオーディオ装置２に設定されている音響プロファイル情報を、マルチチャンネルオーディオシステム１の再生環境情報とともに音響プロファイル情報管理サーバ５へアップロードしたりする。また、コントローラ４は、音響プロファイル情報管理サーバ５からダウンロードした音響プロファイル情報を、この音響プロファイル情報とともにダウンロードした再生環境情報とマルチチャンネルオーディオシステム１の再生環境情報との相違に基づいてチャンネル毎にカスタマイズする。これにより、マルチチャンネルオーディオシステム１の再生環境に適合させた音響プロファイル情報を生成し、この音響プロファイル情報をマルチチャンネルオーディオ装置２に設定する。
【００１９】
図２は、音響プロファイル情報管理サーバ５の概略機能構成図である。
【００２０】
図示するように、音響プロファイル情報管理サーバ５は、ネットワークインターフェース部５０と、音響プロファイル情報記憶部５１と、音響プロファイル情報管理部５２と、を備えている。
【００２１】
ネットワークインターフェース部５０は、ネットワーク７およびアクセスポイント６を介してコントローラ４と通信するためのインターフェースである。
【００２２】
音響プロファイル情報記憶部５１には、プロのオーディオ評論家やアマチュアのオーディオ愛好家などが作成した音響プロファイル情報が、この音響プロファイル情報が前提とするマルチチャンネルオーディオ信号の再生環境情報とともに記憶されている。
【００２３】
図３は、音響プロファイル情報記憶部５１の登録内容例を模式的に表した図である。
【００２４】
図示するように、音響プロファイル情報記憶部５１には、プロのオーディオ評論家やアマチュアのオーディオ愛好家などが作成した音響プロファイル情報毎にレコード５１０が記憶されている。レコード５１０は、このレコード５１０を識別するためのＩＤを登録するフィールド５１１と、このレコード５１０に登録されている音響プロファイル情報の作成者名を登録するフィールド５１２と、このレコード５１０に登録されている音響プロファイル情報が対象とするマルチチャンネルオーディオ信号のチャンネル数を登録するフィールド５１３と、音響プロファイル情報を登録するフィールド５１４と、このレコード５１０に登録されている音響プロファイル情報が前提とするマルチチャンネルオーディオ信号の再生環境情報を登録するフィールド５１５と、を有する。
【００２５】
音響プロファイル情報管理部５２は、ネットワークインターフェース部５０を介して、音響プロファイル情報記憶部５１に記憶されているレコード５１０をネットワーク７上に公開する。そして、ネットワークインターフェース部５０を介してマルチチャンネルオーディオシステム１からダウンロード要求を受け付けると、このダウンロード要求で指定されているＩＤを有するレコード５１０に登録されている音響プロファイル情報および再生環境情報をダウンロード要求元のマルチチャンネルオーディオシステム１に送信する。
【００２６】
また、音響プロファイル情報管理部５２は、ネットワークインターフェース部５０を介してマルチチャンネルオーディオシステム１からアップロード要求を受け付けると、音響プロファイル情報記憶部５１に新たなレコード５１０を追加して、このレコード５１０のフィールド５１１に、自動生成したＩＤを登録するとともに、フィールド５１２〜５１５に、このアップロード要求に含まれている作成者名、チャンネル数、音響プロファイル情報、および再生環境情報を登録する。
【００２７】
図４は、マルチチャンネルオーディオ装置２の概略機能構成図である。
【００２８】
図示するように、マルチチャンネルオーディオ装置２は、コントローラインターフェース部２０と、マルチチャンネルオーディオコンテンツ記憶部２１と、音響プロファイル情報記憶部２２と、音響プロファイル情報受付部２３と、スピーカ接続部２４と、マルチチャンネルオーディオ再生部２５と、オーディオ制御部２６と、を備えている。
【００２９】
コントローラインターフェース部２０は、コントローラ４と通信するためのインターフェースである。
【００３０】
マルチチャンネルオーディオコンテンツ記憶部２１には、マルチチャンネル（本実施の形態では５．１ｃｈ）に対応したオーディオコンテンツが記憶されている。
【００３１】
音響プロファイル情報記憶部２２には、マルチチャンネルオーディオ装置２に設定された音響プロファイル情報（本実施の形態では５．１ｃｈオーディオ信号を構成するＦＲチャンネル、ＦＬチャンネル、Ｃチャンネル、ＳＲチャンネル、ＳＬチャンネル、およびＳＷチャンネル各々のオーディオ信号の音響特性、遅延時間、音量レベル、および出力先チャンネルの情報）が記憶されている。
【００３２】
音響プロファイル情報受付部２３は、コントローラインターフェース部２０を介して、コントローラ４から受け付けた音響プロファイル情報設定要求に含まれている音響プロファイル情報を音響プロファイル情報記憶部２２に記憶する。
【００３３】
スピーカ接続部２４は、チャンネル毎に該当チャンネルに対応するスピーカ３を接続するための接続端子を有する。本実施の形態では、ＦＲチャンネル対応のスピーカ３を接続するためのＦＲチャンネル接続端子２４−１と、ＦＬチャンネル対応のスピーカ３を接続するためのＦＬチャンネル接続端子２４−２と、Ｃチャンネル対応のスピーカ３を接続するためのＣチャンネル接続端子２４−３と、ＳＲチャンネル対応のスピーカ３を接続するためのＳＲチャンネル接続端子２４−４と、ＳＬチャンネル対応のスピーカ３を接続するためのＳＬチャンネル接続端子２４−５と、ＳＷチャンネル対応のスピーカ３を接続するためのＳＷチャンネル接続端子２４−６と、を有する。
【００３４】
マルチチャンネルオーディオ再生部２５は、コントローラインターフェース部２０を介して、コントローラ４から受け付けた再生要求で指定されているオーディオコンテンツをマルチチャンネルオーディオコンテンツ記憶部２１から読み出す。そして、このオーディオコンテンツに基づいてマルチチャンネルオーディオ信号を再生する。
【００３５】
オーディオ制御部２６は、マルチチャンネルオーディオ再生部２５により再生されたマルチチャンネルオーディオ信号のチャンネル毎に、このチャンネルのオーディオ信号を、音響プロファイル情報記憶部２２に記憶されている音響プロファイル情報に含まれているこのチャンネルのオーディオ信号の音響特性、遅延時間、および音量レベルに従って制御する。そして、この音響プロファイル情報に含まれているこのチャンネルのオーディオ信号の出力先チャンネルに対応するスピーカ接続部２４の接続端子２４−１〜２４−６に出力する。
【００３６】
図５は、コントローラ４の概略機能構成図である。
【００３７】
図示するように、コントローラ４は、ネットワークインターフェース部４０と、オーディオ装置インターフェース部４１と、マンマシンインターフェース部４２と、利用プロファイル情報記憶部４３と、再生環境情報記憶部４４と、設定プロファイル情報記憶部４５と、音響プロファイル情報ダウンロード処理部４６と、音響プロファイル情報アップロード処理部４７と、音響プロファイル情報生成部４８と、リモート操作コマンド送信部４９と、主制御部３０と、を備えている。
【００３８】
ネットワークインターフェース部４０は、アクセスポイント６およびネットワーク７を介して音響プロファイル情報管理サーバ５と通信するためのインターフェースである。
【００３９】
オーディオ装置インターフェース部４１は、マルチチャンネルオーディオ装置２と通信するためのインターフェースである。
【００４０】
マンマシンインターフェース部４２は、ユーザに情報を表示したり、ユーザから操作を受け付けたりするためのインターフェースであり、例えばタッチパネルで構成される。
【００４１】
利用プロファイル情報記憶部４３には、音響プロファイル情報管理サーバ５から取得した音響プロファイル情報（本実施の形態では、５．１ｃｈオーディオ信号を構成するＦＲチャンネル、ＦＬチャンネル、Ｃチャンネル、ＳＲチャンネル、ＳＬチャンネル、ＳＷチャンネル各々のオーディオ信号の音響特性、遅延時間、音量レベル、および出力先チャンネルの情報）が、この音響プロファイル情報が前提とするマルチチャンネルオーディオ信号の再生環境情報（本実施の形態では、５．１ｃｈオーディオ信号を構成するＦＲチャンネル、ＦＬチャンネル、Ｃチャンネル、ＳＲチャンネル、ＳＬチャンネル、ＳＷチャンネル各々の対応スピーカから聴取位置までの距離、および各対応スピーカ３の音響特性）とともに記憶される。
【００４２】
再生環境情報記憶部４４には、マルチチャンネルオーディオシステム１の各スピーカ３から聴取位置までの距離および各スピーカ３の音響特性を含む、マルチチャンネルオーディオシステム１におけるマルチチャンネルオーディオ信号の再生環境情報が記憶されている。ここで、各スピーカ３から聴取位置までの距離は、コントローラ４に測距センサを搭載して、スピーカ３毎にこの測距センサを利用して測定するようにしてもよい。あるいは、上述の特許文献２（特開２０００−３５４３００号公報）のように、マルチチャンネルオーディオ装置２が、スピーカ３毎に、スピーカ３から出力されたテスト信号を、ユーザの聴取位置に設置されたマイクで集音して遅延時間を測定し、その測定結果をコントローラ４に送信するようにしてもよい。また、各スピーカ３の音響特性は、ネットワーク７に接続されている不図示のサーバから取得するようにしてもかまわない。
【００４３】
設定プロファイル情報記憶部４５には、マルチチャンネルオーディオ装置２に設定する音響プロファイル情報（本実施の形態では、５．１ｃｈオーディオ信号を構成するＦＲチャンネル、ＦＬチャンネル、Ｃチャンネル、ＳＲチャンネル、ＳＬチャンネル、およびＳＷチャンネル各々のオーディオ信号の音響特性、遅延時間、および出力先チャンネルの情報）が記憶されている。
【００４４】
音響プロファイル情報ダウンロード処理部４６は、ネットワークインターフェース部４０を介して音響プロファイル情報管理サーバ５から音響プロファイル情報およびこの音響プロファイル情報が前提とするマルチチャンネルオーディオ信号の再生環境情報をダウンロードして、これらの情報を利用プロファイル情報記憶部４３に記憶する。
【００４５】
音響プロファイル情報アップロード処理部４７は、設定プロファイル情報記憶部４５に記憶されている音響プロファイル情報および再生環境情報記憶部４４に記憶されている再生環境情報を、ネットワークインターフェース部４０を介して音響プロファイル情報管理サーバ５にアップロードする。
【００４６】
音響プロファイル情報生成部４８は、利用プロファイル情報記憶部４３に記憶されている音響プロファイル情報を、利用プロファイル情報記憶部４３に記憶されているこの音響プロファイル情報が前提とする再生環境情報と、再生環境情報記憶部４４に記憶されているマルチチャンネルオーディオシステム１の再生環境情報との相違に基づいて、マルチチャンネルオーディオ信号のチャンネル毎にカスタマイズする。これにより、マルチチャンネルオーディオ装置２に設定する音響プロファイル情報を生成して設定プロファイル情報記憶部４５に記憶する。
【００４７】
リモート操作コマンド送信部４９は、オーディオ装置インターフェース部４１を介してマルチチャンネルオーディオ装置２に、上述の音響プロファイル情報設定要求を含む各種リモート操作コマンドを送信する。
【００４８】
そして、主制御部３０は、コントローラ４の各部４０〜４９を統括的に制御する。
【００４９】
図６は、コントローラ４の動作を説明するためのフロー図である。
【００５０】
このフローは、主制御部３０がマンマシンインターフェース部４２を介してユーザの操作を受け付けることにより開始される。
【００５１】
まず、主制御部３０は、マンマシンインターフェース部４２を介して受け付けたユーザの操作内容を解析する（Ｓ１００）。ユーザの操作内容がダウンロード操作ならば（Ｓ１００で「ＤＬ操作」）、主制御部３０は、音響プロファイル情報ダウンロード処理部４６に音響プロファイル情報のダウンロードを指示する。
【００５２】
これを受けて、音響プロファイル情報ダウンロード処理部４６は、マルチチャンネルオーディオシステム１のチャンネル数（本実施の形態では５．１ｃｈ）の指定を伴うリスト要求を、ネットワークインターフェース部４０を介して音響プロファイル情報管理サーバ５に送信する。ここで、音響プロファイル情報管理サーバ５において、音響プロファイル情報管理部５２は、ネットワークインターフェース部５０を介してコントローラ４から受信したリスト要求で指定されているチャンネル数がフィールド５１３に登録されているレコード５１０を音響プロファイル情報記憶部５１から検索する。そして、検索したレコード５１０のフィールド５１１、５１２に登録されているＩＤおよび作成者名のリストをコントローラ４に送信する。これにより、音響プロファイル情報ダウンロード処理部４６は、マルチチャンネルオーディオシステム１のチャンネル数に対応した音響プロファイル情報のＩＤおよび作成者が記載されたリストを取得する（Ｓ１０１）。
【００５３】
つぎに、音響プロファイル情報ダウンロード処理部４６は、取得したリストをマンマシンインターフェース部４２に表示して、ユーザからダウンロードする音響プロファイル情報の選択を受け付ける（Ｓ１０２）。それから、音響プロファイル情報ダウンロード処理部４６は、ユーザにより選択された音響プロファイル情報のＩＤの指定を伴うダウンロード要求を、ネットワークインターフェース部４０を介して音響プロファイル情報管理サーバ５に送信する。ここで、音響プロファイル情報管理サーバ５において、音響プロファイル情報管理部５２は、ネットワークインターフェース部５０を介してコントローラ４から受信したダウンロード要求で指定されているＩＤがフィールド５１１に登録されているレコード５１０を音響プロファイル情報記憶部５１から検索する。そして、検索したレコード５１０のフィールド５１４、５１５に登録されている音響プロファイル情報および再生環境情報をコントローラ４に送信する。これにより、音響プロファイル情報ダウンロード処理部４６は、音響プロファイル情報およびこの音響プロファイル情報が前提とするマルチチャンネルオーディオ信号の再生環境情報を音響プロファイル情報管理サーバ５からダウンロードして利用プロファイル情報記憶部４３に記憶する（Ｓ１０３）。
【００５４】
また、主制御部３０は、マンマシンインターフェース部４２を介して受け付けたユーザの操作内容がアップロード操作ならば（Ｓ１００で「ＵＬ操作」）、音響プロファイル情報アップロード処理部４７に音響プロファイル情報のアップロードを指示する。
【００５５】
これを受けて、音響プロファイル情報アップロード処理部４７は、ユーザのユーザ名（作成者名）と、マルチチャンネルオーディオシステム１のチャンネル数（本実施の形態では５．１ｃｈ）と、設定プロファイル情報記憶部４５に記憶されている音響プロファイル情報と、再生環境情報記憶部４４に記憶されている再生環境情報と、を含むアップロード要求を、ネットワークインターフェース部４０を介して音響プロファイル情報管理サーバ５に送信する。ここで、音響プロファイル情報管理サーバ５の音響プロファイル情報管理部５２は、ネットワークインターフェース部５０を介してコントローラ４からアップロード要求を受信すると、音響プロファイル情報記憶部５１に新たなレコード５１０を追加して、このレコード５１０のフィールド５１１に、自動生成したＩＤを登録するとともに、他のフィールド５１２〜５１５に、このアップロード要求に含まれているユーザ名、チャンネル数、音響プロファイル情報、および再生環境情報を登録する。これにより、音響プロファイル情報アップロード処理部４７は、マルチチャンネルオーディオ装置２用にカスタマイズした音響プロファイル情報およびこの音響プロファイル情報が前提とするマルチチャンネルオーディオシステム１の再生環境情報を音響プロファイル情報管理サーバ５にアップロードする（Ｓ１１０）。
【００５６】
また、主制御部３０は、マンマシンインターフェース部４２を介して受け付けたユーザの操作内容が音響プロファイル情報生成操作ならば（Ｓ１００で「生成操作」）、音響プロファイル情報生成部４８に、マルチチャンネルオーディオ装置２に設定する音響プロファイル情報の生成を指示する。
【００５７】
これを受けて、音響プロファイル情報生成部４８は、マルチチャンネルオーディオ装置２が再生するマルチチャンネルオーディオ信号のチャンネル（本実施の形態では、ＦＲチャンネル、ＦＬチャンネル、Ｃチャンネル、ＳＲチャンネル、ＳＬチャンネル、およびＳＷチャンネルの５．１ｃｈ）のなかから、未選択のチャンネルを選択する（Ｓ１２０）。
【００５８】
つぎに、音響プロファイル情報生成部４８は、利用プロファイル情報記憶部４３に記憶されている音響プロファイル情報に含まれている選択チャンネルのオーディオ信号の出力先チャンネルを、利用プロファイル情報記憶部４３に記憶されているこの音響プロファイル情報が前提とする再生環境情報と、再生環境情報記憶部４４に記憶されているマルチチャンネルオーディオシステム１の再生環境情報との相違に基づいてカスタマイズする（Ｓ１２１）。
【００５９】
具体的には、再生環境情報記憶部４４に記憶されているマルチチャンネルオーディオシステム１の再生環境情報に含まれている選択チャンネルの対応スピーカ３の音響特性における周波数帯域が、利用プロファイル情報記憶部４３に記憶されている再生環境情報に含まれている選択チャンネルの対応スピーカ３の音響特性における周波数帯域をカバーしているか否かを判断する。
【００６０】
そして、カバーしている場合は、利用プロファイル情報記憶部４３に記憶されている音響プロファイル情報に含まれている選択チャンネルのオーディオ信号の出力先チャンネルを、そのまま、マルチチャンネルオーディオ装置２に設定する音響プロファイル情報に含める選択チャンネルのオーディオ信号の出力先チャンネルとする。
【００６１】
一方、カバーしていない場合は、再生環境情報記憶部４４に記憶されているマルチチャンネルオーディオシステム１の再生環境情報に含まれている各チャンネル対応のスピーカ３の音響特性を参照し、カバーしていない周波数帯域をカバーしているスピーカ３を検索する。このようなスピーカ３があるならば、このスピーカ３の対応チャンネルを、利用プロファイル情報記憶部４３に記憶されている音響プロファイル情報に含まれている選択チャンネルのオーディオ信号の出力先チャンネルとともに、マルチチャンネルオーディオ装置２に設定する音響プロファイル情報に含める選択チャンネルのオーディオ信号の出力先チャンネルとする。
【００６２】
つぎに、音響プロファイル情報生成部４８は、利用プロファイル情報記憶部４３に記憶されている音響プロファイル情報に含まれている選択チャンネルのオーディオ信号の遅延時間を、利用プロファイル情報記憶部４３に記憶されているこの音響プロファイル情報が前提とする再生環境情報と、再生環境情報記憶部４４に記憶されているマルチチャンネルオーディオシステム１の再生環境情報との相違に基づいてカスタマイズする（Ｓ１２３）。ここで、Ｓ１２１でカスタマイズされた選択チャンネルのオーディオ信号の出力先チャンネルが複数ある場合は、出力先チャンネル毎に、選択チャンネルのオーディオ信号の遅延時間をカスタマイズする。
【００６３】
具体的には、出力先チャンネル各々について、利用プロファイル情報記憶部４３に記憶されている音響プロファイル情報に含まれている選択チャンネルのオーディオ信号の遅延時間をＴ１とし、利用プロファイル情報記憶部４３に記憶されている再生環境情報に含まれている出力先チャンネルの対応スピーカから聴取位置までの距離をＤ１とし、再生環境情報記憶部４４に記憶されている再生環境情報に含まれている出力先チャンネルの対応スピーカから聴取位置までの距離をＤ２とした場合に、マルチチャンネルオーディオ装置２に設定する音響プロファイル情報に含める選択チャンネルのオーディオ信号の遅延時間（出力先チャンネルの対応スピーカに出力する選択チャンネルのオーディオ信号の遅延時間）を、Ｔ１＋ａ１（Ｄ１−Ｄ２）、あるいは、Ｔ１×ａ２（Ｄ１／Ｄ２）とする。ここで、ａ１、ａ２は任意の係数である。
【００６４】
つぎに、音響プロファイル情報生成部４８は、利用プロファイル情報記憶部４３に記憶されている音響プロファイル情報に含まれている選択チャンネルのオーディオ信号の音量レベルを、利用プロファイル情報記憶部４３に記憶されているこの音響プロファイル情報が前提とする再生環境情報と、再生環境情報記憶部４４に記憶されているマルチチャンネルオーディオシステム１の再生環境情報との相違に基づいてカスタマイズする（Ｓ１２４）。ここで、Ｓ１２１でカスタマイズされた選択チャンネルのオーディオ信号の出力先チャンネルが複数ある場合は、出力先チャンネル毎に、選択チャンネルのオーディオ信号の音量レベルをカスタマイズする。
【００６５】
具体的には、出力先チャンネル各々について、利用プロファイル情報記憶部４３に記憶されている音響プロファイル情報に含まれている選択チャンネルのオーディオ信号の音量レベルをＲ１とし、利用プロファイル情報記憶部４３に記憶されている再生環境情報に含まれている出力先チャンネルの対応スピーカから聴取位置までの距離をＤ１とし、再生環境情報記憶部４４に記憶されている再生環境情報に含まれている出力先チャンネルの対応スピーカから聴取位置までの距離をＤ２とした場合に、マルチチャンネルオーディオ装置２に設定する音響プロファイル情報に含める選択チャンネルのオーディオ信号の音響特性における音量レベル（出力先チャンネルの対応スピーカに出力する選択チャンネルのオーディオ信号の音量レベル）を、Ｒ１＋ｂ１（Ｄ２−Ｄ１）、あるいは、Ｒ１×ｂ２（Ｄ２／Ｄ１）とする。ここで、ｂ１、ｂ２は任意の係数である。
【００６６】
つぎに、音響プロファイル情報生成部４８は、マルチチャンネルオーディオ装置２が再生するマルチチャンネルオーディオ信号のすべてのチャンネルを選択したか否かを判断する（Ｓ１２５）。そして、未選択のチャンネルがあるならば（Ｓ１２５でＮＯ）、Ｓ１２０に戻る。一方、すべてのチャンネルを選択済みならば（Ｓ１２５でＹＥＳ）、以上のようにしてマルチチャンネルオーディオ装置２が再生するマルチチャンネルオーディオ信号のチャンネル毎にカスタマイズされた、各チャンネルのオーディオ信号の出力先チャンネル、遅延時間、および音量レベルと、利用プロファイル情報記憶部４３に記憶されている音響プロファイル情報に含まれている各チャンネルのオーディオ信号の音響特性と、を含む音響プロファイル情報を生成し、この音響プロファイル情報を設定プロファイル情報記憶部４５に記憶する（Ｓ１２６）。
【００６７】
また、主制御部３０は、マンマシンインターフェース部４２を介して受け付けたユーザの操作内容が音響プロファイル情報設定操作ならば（Ｓ１００で「設定操作」）、リモート操作コマンド送信部４９に、音響プロファイル情報のマルチチャンネルオーディオ装置２への設定を指示する。
【００６８】
これを受けて、リモート操作コマンド送信部４９は、設定プロファイル情報記憶部４５に記憶されている音響プロファイル情報を含む音響プロファイル情報設定要求を生成し、この音響プロファイル情報設定要求をオーディオ装置インターフェース部４１からマルチチャンネルオーディオ装置２に送信する（Ｓ１３０）。ここで、マルチチャンネルオーディオ装置２の音響プロファイル情報受付部２３は、コントローラインターフェース部２０を介してコントローラ４から音響プロファイル情報設定要求を受信すると、この音響プロファイル情報設定要求に含まれている音響プロファイル情報を音響プロファイル情報記憶部２２に記憶する。これにより、音響プロファイル情報がマルチチャンネルオーディオ装置２に設定される。
【００６９】
また、主制御部３０は、マンマシンインターフェース部４２を介して受け付けたユーザの操作内容が、マルチチャンネルオーディオコンテンツの再生、停止等といった、上述のダウンロード操作、アップロード操作、音響プロファイル情報生成操作、および音響プロファイル情報設定操作以外の操作ならば（Ｓ１００で「その他操作」）、リモート操作コマンド送信部４９に、その操作内容を指示する。
【００７０】
これを受けて、リモート操作コマンド送信部４９は、ユーザの操作内容に応じたリモート操作コマンドをオーディオ装置インターフェース部４１からマルチチャンネルオーディオ装置２に送信する（Ｓ１４０）。
【００７１】
以上、本発明の一実施の形態について説明した。
【００７２】
本実施の形態において、コントローラ４は、音響プロファイル情報管理サーバ５からダウンロードしたマルチチャンネルオーディオ信号の音響プロファイル情報を、この音響プロファイル情報が前提とする再生環境情報と、マルチチャンネルオーディオシステム１の再生環境情報との相違に基づいてチャンネル毎にカスタマイズすることにより、マルチチャンネルオーディオ装置２に設定する音響プロファイル情報を生成する。このため、ダウンロードした音響プロファイル情報が前提とする再生環境とマルチチャンネルオーディオシステム１の再生環境とが異なる場合でも、ユーザは、期待した音響空間を自己の再生環境において簡単に再現し、期待するマルチチャンネルオーディオ信号の再生を実現することができる。
【００７３】
したがって、本実施の形態によれば、音響プロファイル情報管理サーバ５からダウンロードした音響プロファイル情報に基づいて、マルチチャンネルオーディオ装置２に設定する好みの音響プロファイル情報をより簡単に生成することができる。
【００７４】
また、本実施の形態において、音響プロファイル情報は、マルチチャンネルオーディオ信号を構成する各チャンネルのオーディオ信号の遅延時間を含んでおり、再生環境情報は、マルチチャンネルオーディオ信号の再生に利用される各スピーカ３の聴取位置からの距離を含んでいる。そして、コントローラ４は、マルチチャンネルオーディオ信号のチャンネル毎に、音響プロファイル情報管理サーバ５からダウンロードした音響プロファイル情報が前提とする再生環境情報に含まれているこのチャンネルの対応スピーカから聴取位置までの距離と、マルチチャンネルオーディオシステム１の再生環境情報に含まれているこのチャンネルの対応スピーカから聴取位置までの距離との比率に基づいて、音響プロファイル情報管理サーバ５からダウンロードした音響プロファイル情報に含まれているこのチャンネルのオーディオ信号の遅延時間をカスタマイズし、これをマルチチャンネルオーディオ装置２に設定する音響プロファイル情報に含めるこのチャンネルのオーディオ信号の遅延時間としている。
【００７５】
したがって、本実施の形態によれば、音響プロファイル情報管理サーバ５からダウンロードした音響プロファイル情報が前提とする再生環境およびマルチチャンネルオーディオシステム１の再生環境において、各スピーカ３から聴取位置までの距離が異なる場合でも、ユーザが期待する各チャンネルのオーディオ信号の聴取位置への到来タイミングを実現することができる。
【００７６】
また、本実施の形態において、音響プロファイル情報は、マルチチャンネルオーディオ信号を構成する各チャンネルのオーディオ信号の音量レベルを含んでおり、再生環境情報は、マルチチャンネルオーディオ信号の再生に利用される各スピーカ３の聴取位置からの距離を含んでいる。そして、コントローラ４は、マルチチャンネルオーディオ信号のチャンネル毎に、音響プロファイル情報管理サーバ５からダウンロードした音響プロファイル情報が前提とする再生環境情報に含まれているこのチャンネルの対応スピーカから聴取位置までの距離と、マルチチャンネルオーディオシステム１の再生環境情報に含まれているこのチャンネルの対応スピーカ３から聴取位置までの距離との比率に基づいて、音響プロファイル情報管理サーバ５からダウンロードした音響プロファイル情報に含まれているこのチャンネルのオーディオ信号の音量レベルをカスタマイズし、これをマルチチャンネルオーディオ装置２に設定する音響プロファイル情報に含めるこのチャンネルのオーディオ信号の音量レベルとしている。
【００７７】
したがって、本実施の形態によれば、音響プロファイル情報管理サーバ５からダウンロードした音響プロファイル情報が前提とする再生環境およびマルチチャンネルオーディオシステム１の再生環境において、各スピーカから聴取位置までの距離が異なる場合でも、ユーザが期待する各チャンネルのオーディオ信号の音量レベルを実現することができる。
【００７８】
また、本実施の形態において、再生環境情報は、マルチチャンネルオーディオ信号のチャンネル毎に、このチャンネルの対応スピーカの音響特性を含んでいる。そして、コントローラ４は、マルチチャンネルオーディオ信号のチャンネル毎に、音響プロファイル情報管理サーバ５からダウンロードした音響プロファイル情報が前提とする再生環境情報に含まれているこのチャンネルの対応スピーカの音響特性と、マルチチャンネルオーディオシステム１の再生環境情報に含まれているこのチャンネルの対応スピーカ３の音響特性とを比較し、音響プロファイル情報管理サーバ５からダウンロードした音響プロファイル情報が前提とする再生環境情報に含まれているこのチャンネルの対応スピーカの音響特性が、マルチチャンネルオーディオシステム１の再生環境情報に含まれているこのチャンネルの対応スピーカ３の音響特性ではカバーされない周波数帯域を含んでいる場合、マルチチャンネルオーディオシステム１の再生環境情報に含まれている各スピーカ３の音響特性を参照し、この周波数帯域をカバーするスピーカ３があるならば、このチャンネルの対応スピーカ３に加えて、この周波数帯域をカバーするスピーカ３を、このチャンネルのオーディオ信号の出力先チャンネルに設定して、マルチチャンネルオーディオ装置２に設定する音響プロファイル情報に含める。
【００７９】
したがって、本実施の形態によれば、マルチチャンネルオーディオシステム１において、いずれかのチャンネルのスピーカ３の音響特性が、音響プロファイル情報管理サーバ５からダウンロードした音響プロファイル情報が前提とする再生環境において、このチャンネルの対応スピーカの音響特性をカバーしきれていない場合でも、ユーザが期待するマルチチャンネルオーディオ信号の再生を実現することができる。
【００８０】
なお、本発明は上記の実施の形態に限定されるものではなく、その要旨の範囲内で数々の変形が可能である。
【００８１】
例えば、上記の実施の形態では、再生環境情報に、マルチチャンネルオーディオ信号の再生に利用される各スピーカの聴取位置からの距離を含めている。しかし、本発明はこれに限定されない。マルチチャンネルオーディオ信号の再生に利用される各スピーカの聴取位置からの距離に代えて、マルチチャンネルオーディオ信号の再生に利用される各スピーカの設置部屋のサイズを含めるようにしてもよい。そして、コントローラ４は、マルチチャンネルオーディオ信号のチャンネル毎に、音響プロファイル情報管理サーバ５からダウンロードした音響プロファイル情報が前提とする再生環境情報に含まれている設置部屋のサイズと、マルチチャンネルオーディオシステム１の再生環境情報に含まれている設置部屋のサイズとの比率に基づいて、音響プロファイル情報管理サーバ５からダウンロードした音響プロファイル情報に含まれているこのチャンネルのオーディオ信号の遅延時間および／または音量レベルをカスタマイズしてもよい。
【００８２】
また、上記の実施の形態では、コントローラ４において、マルチチャンネルオーディオ装置２に設定する音響プロファイル情報を生成しているが、本発明はこれに限定されない。マルチチャンネルオーディオ装置２に設定する音響プロファイル情報を、マルチチャンネルオーディオ装置２自身で生成するか、あるいは、音響プロファイル情報管理サーバ５で生成するようにしてもよい。
【００８３】
例えば、コントローラ４の機能をマルチチャンネルオーディオ装置２に搭載する。そして、マルチチャンネルオーディオ装置２は、音響プロファイル情報管理サーバ５から音響プロファイル情報およびこの音響プロファイル情報が前提とする再生環境情報をダウンロードし、ダウンロードされた再生環境情報とマルチチャンネルオーディオシステム１の再生環境情報との相違に基づいて、上述の要領によりダウンロードされた音響プロファイル情報をカスタマイズして、自マルチチャンネルオーディオ装置２に設定する。
【００８４】
あるいは、コントローラ４の音響プロファイル情報生成部４８を音響プロファイル情報管理サーバ５に搭載する。そして、音響プロファイル情報管理サーバ５は、コントローラ４から、利用する音響プロファイル情報のＩＤおよびマルチチャンネルオーディオシステム１の再生環境情報を含む音響プロファイル情報生成指示を受信すると、この音響プロファイル情報生成指示に含まれているＩＤに対応付けられて音響プロファイル情報記憶部５１に記憶されている再生環境情報と、この音響プロファイル情報生成指示に含まれている再生環境情報との相違に基づいて、上述の要領によりこの音響プロファイル情報生成指示に含まれているＩＤに対応付けられて音響プロファイル情報記憶部５１に記憶されている音響プロファイル情報をカスタマイズし、カスタマイズされた音響プロファイル情報を、マルチチャンネルオーディオ装置２に設定する音響プロファイル情報としてコントローラ４に送信する。
【００８５】
また、上記の実施の形態において、図２、図４、図５に示す音響プロファイル情報管理サーバ５、マルチチャンネルオーディオ装置２、コントローラ４の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）等の計算機によりソフトウエア的に実現されるものでもよい。または、ＣＰＵと、メモリと、フラッシュメモリ、ハードディスクドライブ等の補助記憶装置と、無線ＬＡＮアダプタ等の通信装置と、スピーカと、を備えたＰＣ等の汎用コンピュータにおいて、ＣＰＵが所定のプログラムを補助記憶装置からメモリ上にロードして実行することにより実現されるものでもよい。特に、コントローラ４は、スマートホン、タブレットＰＣ等の携帯端末において、ＣＰＵが所定のプログラムを実行することにより実現されるものでもよい。
【符号の説明】
【００８６】
１：マルチチャンネルオーディオシステム    ２：マルチチャンネルオーディオ装置    ３：スピーカ    ４：コントローラ    ５：音響プロファイル情報管理サーバ    ６：アクセスポイント    ７：ネットワーク    ２０：コントローラインターフェース部    ２１：マルチチャンネルオーディオコンテンツ記憶部    ２２：音響プロファイル情報記憶部    ２３：音響プロファイル情報受付部    ２４：スピーカ接続部    ２４−１：ＦＲチャンネル接続端子    ２４−２：ＦＬチャンネル接続端子    ２４−３：Ｃチャンネル接続端子    ２４−４：ＳＲチャンネル接続端子    ２４−５：ＳＬチャンネル接続端子    ２４−６：ＳＷチャンネル接続端子    ２５：マルチチャンネルオーディオ再生部    ２６：オーディオ制御部    ３０：主制御部    ４０：ネットワークインターフェース部    ４１：オーディオ装置インターフェース部    ４２：マンマシンインターフェース部    ４３：利用プロファイル情報記憶部    ４４：再生環境情報記憶部    ４５：設定プロファイル情報記憶部    ４６：音響プロファイル情報ダウンロード処理部    ４７：音響プロファイル情報アップロード処理部    ４８：音響プロファイル情報生成部    ４９：リモート操作コマンド送信部    ５０：ネットワークインターフェース部    ５１：音響プロファイル情報記憶部    ５２：音響プロファイル情報管理部
【図１】
2019212993.tif 000003
【図２】
2019212993.tif 000004
【図３】
2019212993.tif 000005
【図４】
2019212993.tif 000006
【図５】
2019212993.tif 000007
【図６】
2019212993.tif 000008